(57)【要約】【課題】  ケラタン硫酸と同様の組成を有するオリゴ糖を容易かつ正確に同定できるオリゴ糖の同定方法を提供する。【解決手段】  本発明のオリゴ糖の同定方法は、（ｉ）下記一般式のいずれかで表される被検オリゴ糖を、ＥＳＩ法又はＭＡＬＤＩ法によってイオン化させ、得られたイオンのフラグメンテーションを１回以上行うことにより、当該オリゴ糖についての質量分析のｎ乗スペクトル（ｎは２以上の整数）に関する情報を得る工程、及び、（ｉｉ）（ｉ）で得られた情報と、標準オリゴ糖についての質量分析のｎ乗スペクトル（ｎは２以上の整数）に関する情報とを比較する工程、を含有する。(Gal-GlcNAc)m、(GlcNAc-Gal)m、GlcNAc-(Gal-GlcNAc)m、Gal-(GlcNAc-Gal)m（Galはガラクトース残基を、GlcNAcはＮ−アセチルグルコサミン残基を、−はグリコシド結合を、ｍは１〜５の整数を示す。）【選択図】    なし【特許請求の範囲】
【請求項１】
（ｉ）  下記一般式（１）〜（４）のいずれかで表される被検オリゴ糖を、ＥＳＩ法又はＭＡＬＤＩ法によってイオン化させ、得られたイオンのフラグメンテーションを１回以上行うことにより、当該オリゴ糖についての質量分析のｎ乗スペクトル（ｎは２以上の整数）に関する情報を得る工程、及び、
（ｉｉ）  （ｉ）で得られた情報と、標準オリゴ糖についての質量分析のｎ乗スペクトル（ｎは２以上の整数）に関する情報とを比較する工程、
を含有する、オリゴ糖の同定方法。
(Gal-GlcNAc)m            …（１）
(GlcNAc-Gal)m            …（２）
GlcNAc-(Gal-GlcNAc)m     …（３）
Gal-(GlcNAc-Gal)m        …（４）
（式中、Galはガラクトース残基を、GlcNAcはＮ−アセチルグルコサミン残基を、−はグリコシド結合を、ｍは１〜５の整数をそれぞれ示す。GalとGlcNAcの少なくとも１つのヒドロキシル基は硫酸化されていてもよく、また、オリゴ糖の非還元末端側にさらにシアル酸がグリコシド結合していてもよい。）
【請求項２】
質量分析のｎ乗スペクトル（ｎは２以上の整数）に関する情報を、ＩＴ型分析装置又はＦＴ−ＩＣＲ型分析装置を用いて得ることを特徴とする、請求項１に記載のオリゴ糖の同定方法。
【請求項３】
前記被検オリゴ糖が、ケラタン硫酸を分解して得られたものである、請求項１又は２に記載のオリゴ糖の同定方法。
【発明の詳細な説明】
【技術分野】
【０００１】
本発明は、オリゴ糖の同定方法に関し、特にケラタン硫酸と同様の組成を有するオリゴ糖の同定方法に関する。
【背景技術】
【０００２】
本願の出願書類においては、以下の略号を使用する。
エレクトロスプレーイオン化法：ＥＳＩ法
マトリックス支援レーザー脱離イオン化法：ＭＡＬＤＩ法
イオントラップ型：ＩＴ型
フーリエ変換−イオンサイクロトロン共鳴型：ＦＴ−ＩＣＲ型
ガラクトース残基：Ｇａｌ
Ｎ−アセチルグルコサミン残基：ＧｌｃＮＡｃ
６位のヒドロキシル基が硫酸化されたガラクトース残基：Ｇａｌ６Ｓ
Ｎ−アセチルノイラミン酸：ＮｅｕＡｃ
Ｎ−グリコリルノイラミン酸：ＮｅｕＧｃ
６位のヒドロキシル基が硫酸化されたＮ−アセチルグルコサミン残基：ＧｌｃＮＡｃ６Ｓ
【０００３】
硫酸化グリコサミノグリカンは、生体内でプロテオグリカンとして存在し、細胞の増殖、移動、分化、組織の形態形成などに重要な役割を担う糖鎖として近年注目されている。ケラタン硫酸は、この硫酸化グリコサミノグリカンの一種であり、ＧａｌとＧｌｃＮＡｃとが結合した２糖単位の繰り返し構造を有している。糖鎖の枝分かれ構造や硫酸基の数によって、種々のケラタン硫酸が知られている。
ケラタン硫酸は、生体内では軟骨や角膜、脳組織等に存在していることが確認されている。ケラタン硫酸の構造解析は、生体におけるケラタン硫酸の機能や様々な疾患との関連性の解明に重要である。
ケラタン硫酸の構造を解析するために、ケラタン硫酸と同様の組成を有するオリゴ糖を同定することが行われている。このオリゴ糖の同定は、従来は高速液体クロマトグラフィー（ＨＰＬＣ）によって分析し、標準物質のピーク位置と照合することにより行われていた。
最近の糖鎖の構造解析では、質量分析（ＭＳ）装置を用いた糖の構造決定の研究が活発化している。グリコサミノグリカンでは、コンドロイチン硫酸やヘパリン由来のオリゴ糖のＭＳによる研究が報告されている（例えば、非特許文献１〜４参照）。
【非特許文献１】Analytical Chemistry, Joseph Zaia et al., Vol. 73, pp. 6030-3039, No. 24 (2001)
【非特許文献２】Analytical Chemistry, Joseph Zaia et al., Vol. 75, pp. 2445-2455, No. 10 (2003)
【非特許文献３】Analytical Chemistry, Joseph Zaia et al., Vol. 74, pp. 3760-3771, No. 15 (2002)
【非特許文献４】J. American Society Mass Spectrometry, Joseph Zaia et al., Vol. 14, pp. 1270-1281 (2003)
【発明の開示】
【発明が解決しようとする課題】
【０００４】
ケラタン硫酸と同様の組成を有するオリゴ糖の構造が同定できれば、ケラタン硫酸全長の構造を推測することができる。しかし、ＨＰＬＣは、化合物の化学構造よりむしろ性質を反映する手法であり、ピーク位置が標準物質と同じであっても、構造が異なる不純物である可能性もある。
本発明の目的は、ケラタン硫酸と同様の組成を有するオリゴ糖を容易かつ正確に同定できるオリゴ糖の同定方法を提供することである。
【課題を解決するための手段】
【０００５】
本発明者等は上記課題を解決するために鋭意検討した結果、特定のオリゴ糖についてＭＳのｎ乗スペクトルの法則性を発見し、被検オリゴ糖試料と標準オリゴ糖とのデータを比較することにより、オリゴ糖試料を同定する方法を見出し、本発明を完成した。
すなわち、本発明は以下の（Ａ）〜（Ｃ）に関する。
（Ａ）  （ｉ）  下記一般式（１）〜（４）のいずれかで表される被検オリゴ糖を、ＥＳＩ法又はＭＡＬＤＩ法によってイオン化させ、得られたイオンのフラグメンテーションを１回以上行うことにより、当該オリゴ糖についてのＭＳのｎ乗スペクトル（ｎは２以上の整数）に関する情報を得る工程、及び、
（ｉｉ）  （ｉ）で得られた情報と、標準オリゴ糖についてのＭＳのｎ乗スペクトル（ｎは２以上の整数）に関する情報とを比較する工程、
を含有する、オリゴ糖の同定方法。
(Gal-GlcNAc)m            …（１）
(GlcNAc-Gal)m            …（２）
GlcNAc-(Gal-GlcNAc)m     …（３）
Gal-(GlcNAc-Gal)m        …（４）
（式中、−はグリコシド結合を、ｍは１〜５の整数をそれぞれ示す。GalとGlcNAcの少なくとも１つのヒドロキシル基は硫酸化されていてもよく、また、オリゴ糖の非還元末端側にさらにシアル酸がグリコシド結合していてもよい。）
（Ｂ）  ＭＳのｎ乗スペクトル（ｎは２以上の整数）に関する情報を、ＩＴ型分析装置又はＦＴ−ＩＣＲ型分析装置を用いて得ることを特徴とする、（Ａ）に記載のオリゴ糖の同定方法。
（Ｃ）  前記被検オリゴ糖が、ケラタン硫酸を分解して得られたものである、（Ａ）又は（Ｂ）に記載のオリゴ糖の同定方法。
【発明の効果】
【０００６】
本発明に係るオリゴ糖の同定方法によれば、特定のオリゴ糖のＭＳのｎ乗スペクトル解析における法則性が導かれるので、オリゴ糖の構造を容易かつ正確に同定することができる。本発明の同定方法によりケラタン硫酸全長の構造を推定することも可能となり、例えば、軟骨、角膜、脳等の生体組織から得られるケラタン硫酸の構造解析等に有用である。
【発明を実施するための最良の形態】
【０００７】
以下、本発明を詳細に説明する。
本発明における同定の対象となる被検オリゴ糖は、下記一般式（１）〜（４）のいずれかで表されるものである。
(Gal-GlcNAc)m            …（１）
(GlcNAc-Gal)m            …（２）
GlcNAc-(Gal-GlcNAc)m     …（３）
Gal-(GlcNAc-Gal)m        …（４）
（式中、−はグリコシド結合を、ｍは１〜５の整数をそれぞれ示す。GalとGlcNAcの少なくとも１つのヒドロキシル基は硫酸化されていてもよく、また、オリゴ糖の非還元末端側にさらにシアル酸がグリコシド結合していてもよい。）
なお、Gal−GlcNAcにおけるグリコシド結合はβ１−４結合であることが好ましく、GlcNAc−Galにおけるグリコシド結合はβ１−３結合であることが好ましい。
またｍは１〜３の整数であるものがより好ましく、１〜２の整数であるものがさらに好ましい。
【０００８】
同定の対象となる被検オリゴ糖は、GalとGlcNAcの少なくとも１つのヒドロキシル基は硫酸化されていてもよい。すなわち、Gal及びGlcNAcの少なくとも１つの−ＯＨ基が硫酸基によって置換され、−ＯＳＯ3Ｈとなっていてもよい。Gal又はGlcNAc中の硫酸化の位置も特に限定されないが、６位のヒドロキシル基が硫酸化されているものが好ましい。
また非還元末端側にグリコシド結合していてもよいシアル酸としては、NeuAcやNeuGc等が例示されるが、NeuAcであることが好ましい。またシアル酸は上記一般式（１）又は（４）における非還元末端のGalに結合していることが好ましい。またその場合のシアル酸とGalとの間の結合は、α２−３結合であることが好ましい。
このようなオリゴ糖としては、例えばケラタン硫酸を分解して得られたものが例示される。
【０００９】
ケラタン硫酸の分解は、化学的な方法（酸加水分解等）や酵素的な方法（ケラタン硫酸分解酵素による分解等）によって行うことができるが、酵素的な方法を用いることが好ましく、ケラタナーゼＩＩを用いることがより好ましい。酵素反応は、用いるケラタン硫酸分解酵素の種類に応じて当業者が適宜設定することができるが、例えばケラタナーゼＩＩを用いる場合、ｐＨ５．０〜７．０、温度３０〜４０℃で、０．１〜４８時間反応させることが好ましい。
ケラタン硫酸をケラタン硫酸分解酵素で分解して得られる被検オリゴ糖の具体例としては、以下のものを挙げることができ、本発明ではこのようなオリゴ糖を同定することができる。
【００１０】
【表１】
2006047240.tif 000002
【００１１】
もちろん、本発明においては、これらのオリゴ糖のみならず、ケラタン硫酸を分解して得たオリゴ糖を修飾したものや、化学合成したオリゴ糖を同定することもできる。本発明により同定することができる他のオリゴ糖の例示として、以下のオリゴ糖を挙げることもできる。
【表２】
2006047240.tif 000003
【００１２】
本発明に係るオリゴ糖の同定方法では、まず、同定の対象となるオリゴ糖（被検オリゴ糖）をＥＳＩ法又はＭＡＬＤＩ法によりイオン化させる。イオン化させる方法は、ＥＳＩ法又はＭＡＬＤＩ法のいずれであってもよいが、ＥＳＩ法が好ましい。
ＥＳＩ法又はＭＡＬＤＩ法によって被検オリゴ糖をイオン化することにより、被検オリゴ糖の分子量に起因する１種類又は２種類以上のイオン（以下、分子量関連イオンと呼ぶ。）が生成する。生成した分子量関連イオンを検出することにより、当該被検オリゴ糖の分子量を確定することができる。分子量関連イオンの検出は、任意の質量分析装置を用いて行うことができるが、ＩＴ型分析装置又はＦＴ−ＩＣＲ型分析装置を用いることが好ましく、ＩＴ型分析装置を用いることが好ましい。このような質量分析装置を用いて分子量関連イオンを検出することにより、ＭＳの１乗スペクトルが得られる。
このように、本発明では、イオン化法としてＥＳＩ法又はＭＡＬＤＩ法を採用し、分析装置として任意の質量分析装置を採用することができるが、装置が小型で軽量且つ操作が簡便である等の点から、ＥＳＩ法によりイオン化し、ＩＴ型分析装置によって検出を行う方法（以下、ＥＳＩ−ＩＴ−ＭＳ法という。）が好ましい。ＥＳＩ−ＩＴ−ＭＳ法は、例えばＥｓｑｕｉｒｅ  ３０００  ｐｌｕｓ（ブルカー社製）等の一般的な市販の装置を使用して行うことができる。ＭＡＬＤＩ−ＭＳ法を用いる場合にも、各社市販の装置を使用できる。例えば、ＭＡＬＤＩ法によりイオン化し、ＩＴ型分析装置によって検出を行う場合には、ＡＸＩＭＡ−ＱＩＴ（島津製作所）等の装置を使用することができる。
【００１３】
前記のようにして得られたＭＳの１乗スペクトルにおける分子量関連イオンを前駆イオンとしてフラグメンテーションを行い、フラグメントイオンを生成させて検出する（これによって、「ＭＳの２乗スペクトル」が得られる）。さらに必要に応じてＭＳの２乗スペクトルにおけるフラグメントイオンについてフラグメンテーションを行いＭＳの３乗スペクトルを、以下同様にＭＳの４乗、・・・、ｎ乗スペクトルを得ることができる。ＭＳのｎ乗スペクトル（ｎは２以上の整数。以下同じ。）も、ＩＴ型装置もしくはＦＴ−ＩＣＲ型装置を用いることによって容易に得ることができる。
このようにして、被検オリゴ糖についてのＭＳのｎ乗スペクトルに関する情報を得ることができる。同一ＭＳスペクトル中に複数のフラグメントイオンのシグナルが観測される場合には、通常、イオン強度が最も高いフラグメントイオンのシグナル、あるいは標準オリゴ糖のｎ乗スペクトルのデータと比較して構造上の特徴を有すると思われるフラグメントイオンのシグナルが、同定（構造決定）の際の特に重要な情報となる。
【００１４】
また、このような「ＭＳのｎ乗スペクトルに関する情報」には、同一スペクトル中に存在する２種類の異なるフラグメントイオンのイオン強度比に関する情報を含んでいてもよい。例えば、オリゴ糖についてのＭＳの２乗スペクトルにおいて、フラグメントイオンＸのシグナルと、フラグメントイオンＹのシグナルが存在する場合、前者のシグナルのイオン強度と後者のシグナルのイオン強度との比を算出し、これも「ＭＳのｎ乗スペクトルに関する情報」として包含させてもよい。これによって、被検オリゴ糖の同定の精度をより高めることができる。
このようにして得られる被検オリゴ糖についてのＭＳのｎ乗スペクトルに関する情報と、既知の標準オリゴ糖について同様に得られるＭＳのｎ乗スペクトルに関する情報とを比較することにより、被検オリゴ糖の硫酸基の存在位置やその構造を決定し、オリゴ糖を同定することができる。
【００１５】
一例として、下記のオリゴ糖の同定方法について説明する；
Ｌ１、Ｌ２、Ｌ３、Ｌ４、Ｋ１，Ｋ２，Ｋ４、ＳＬ１、Ｇ１Ｌ１、Ｇ２Ｋ１、Ｇ４Ｌ４、Ｌ１Ｌ１、Ｌ２Ｌ４、Ｌ４Ｌ４、ＳＬ２Ｌ４。
これらのオリゴ糖は、それぞれのＭＳの１乗スペクトル（ＭＳ1）、ＭＳの２乗スペクトル（ＭＳ2）において、表３に示される質量数／電荷数（ｍ／ｚ）の位置に、分子量関連イオンあるいはフラグメントイオンのシグナルが現れる。なお、フラグメントイオンの略称は、一般的な表示方法（Glycoconjugate Journal., ５, ｐ.３９７−４０９（１９８８））に従って記載した。表３中の［Ｍ−ｎＨ］n-、［Ｍ−Ｈ2Ｏ−nＨ］n中の「Ｍ」は、それぞれの糖の基本骨格を示す。また、rは還元末端糖残基を、ｎは各イオンの価数をそれぞれ示す。
また、Ｌ２、Ｌ３、Ｌ４、Ｇ４Ｌ４、Ｌ２Ｌ２、Ｌ２Ｌ４、Ｌ４Ｌ４及びＳＬ２Ｌ４のＭＳ2において得られた[0,2Ａr]n-イオンをフラグメンテーションして得られたＭＳ3のデータの一例を表４に示す。さらに、Ｌ２、Ｌ３、Ｌ４、Ｇ４Ｌ４及びＬ２Ｌ２のＭＳ2において得られた[Ｍ−Ｈ2Ｏ−ｎＨ]n-イオンをフラグメンテーションして得られたＭＳ3のデータの一例を表５に示す。
【００１６】
【表３】
2006047240.tif 000004
【００１７】
【表４】
2006047240.tif 000005
【００１８】
【表５】
2006047240.tif 000006
【００１９】
表３〜表５に示すデータは、標準オリゴ糖についてのＭＳのｎ乗スペクトル（ｎは２以上の整数）に関する情報としてそのまま用いることができる。また、後述する実施例に示したデータについても同様である。すなわち、このような情報と、被検オリゴ糖についてのＭＳのｎ乗スペクトル（ｎは２以上の整数）に関する情報とを比較することにより、当該オリゴ糖の同定をすることができる。
表３〜表５に示すデータ（標準オリゴ糖についてのＭＳのｎ乗スペクトル（ｎは２以上の整数）に関する情報）は、例えば以下の手順に従って得ることができる。
【００２０】
（標準オリゴ糖の入手）
・Ｌ１：生化学工業株式会社より購入した。
・Ｌ３：特開２００１−０８９４９３号公報に記載の方法に従って製造した。
・Ｋ２、Ｋ４及びＧ４Ｌ４：特開２０００−２５６３８５号公報に記載の方法に従って製造した。
・ＳＬ１：フナコシ株式会社より購入した。
・Ｌ４、Ｌ４Ｌ４及びＳＬ２Ｌ４：ＷＯ９６／１６９７３号パンフレットに記載の方法に従って製造した。
・Ｌ２、Ｌ２Ｌ２及びＬ２Ｌ４：ウシ角膜由来ケラタン硫酸（生化学工業株式会社より購入）を原料として、ＷＯ９６／１６９７３号パンフレットに記載の方法に従って製造した。
・Ｋ１、Ｇ１Ｌ１及びＬ１Ｌ１：ＷＯ９８／０３５２４号パンフレットに記載の方法に従い、それぞれＫ２、Ｇ４Ｌ４及びＬ４Ｌ４を完全脱硫酸化することによって製造した。
・Ｇ２Ｋ１：Ｌ４Ｌ４を原料とし、Ｌ１Ｌ１を生成する際の副生成物として得られた。
【００２１】
（標準オリゴ糖のＭＳスペクトルの測定）
ＭＳスペクトルは、Ｅｓｑｕｉｒｅ  ３０００  ｐｌｕｓ（ブルカー社製）を用い、ネガティヴ・イオン・モードで測定した。上記オリゴ糖を、酢酸の終濃度が１ｍＭかつメタノール含量が５０％の溶媒に、１０ｐｍｏｌ／μＬの濃度になるように溶解し、マイクロシリンジを用いて３６０μＬ／時間の速度で装置に注入した。その際のキャピラリー電圧は−３．８ｋＶであり、窒素ドライガスの速度を4.0 L/min、キャピラリー温度は３００℃に設定した。
ＭＳ2スペクトルは、ＭＳ1スペクトルにおいて観測された分子量関連イオン（［Ｍ−ｎＨ］n-フラグメントイオン）を、１．００Ｖのフラグメント・エネルギーでフラグメンテーションすることによって生じたフラグメントイオンを観測することによって得た。
なお、ＭＳ1スペクトル上においてイオン化に伴って脱硫酸化もしくは脱シアル化が認められたＬ４Ｌ４、Ｌ２Ｌ４及びＳＬ２Ｌ４については、前記の酢酸濃度を前記の１／１０に設定して測定した。
【００２２】
上記表３に示される情報から、少なくとも以下の法則性が得られ、この法則性を利用することにより、被検オリゴ糖の構造を決定することができる。
１）オリゴ糖の還元末端糖が、「ＧｌｃＮＡｃ」又は「６位の−ＯＨ基が硫酸化されたＧｌｃＮＡｃ」である場合、ＭＳ2スペクトルにおいて必ず0,2Ａrフラグメントが観測される。特に、オリゴ糖が３糖以下である場合、還元末端の[Ｍ−Ｈ2Ｏ−ｎＨ]n-が観測される。
２）還元末端糖が「Ｇａｌ」又は「６位の−ＯＨ基が硫酸化されたＧａｌ」である場合、ＭＳ2スペクトルにおいて0,2Ａ1フラグメントが観測される。
３）６位の−ＯＨ基が硫酸化されたＧｌｃＮＡｃを還元末端に有する２糖以上のオリゴ糖のＭＳ2スペクトルでは、2.4Ａrフラグメントが観測される。
４）硫酸基を持つ４糖のＭＳ2スペクトルでは、Ｃ3フラグメントが観測される。
また表３に示したように、ＭＳ1で観測されるｍ/ｚ値が他のオリゴ糖と同じであっても、ＭＳ2スペクトルにおいて必ず異なるシグナルが存在するため、被検オリゴ糖を同定することができる。
この法則性を利用して、被検オリゴ糖のＭＳのｎ乗スペクトルを上記の標準オリゴ糖のＭＳスペクトルと比較することにより、被検オリゴ糖の構造を決定することができる。
以上の情報や後述する実施例に示す情報等と、被検オリゴ糖についてのＭＳのｎ乗スペクトル（ｎは２以上の整数）に関する情報とを比較することにより、当該オリゴ糖の同定や分析をすることができる。
【実施例】
【００２３】
以下、本発明を実施例に基づき更に詳細に説明する。
（実施例１）
（被検オリゴ糖の調製）
ウシ角膜由来のケラタン硫酸Ｉ（生化学工業株式会社より購入）又はサメ軟骨由来のケラタン硫酸ＩＩ（生化学工業株式会社製）の１ｍｇ/２００μl水溶液に、０．１Ｍの酢酸緩衝液で稀釈したケラタナーゼＩＩ（生化学工業株式会社より入手）を１ｍＵ/μｌ加え、ｐＨ６．０、３７℃で２時間反応させた。
この反応溶液を分画分子量１００００の遠心フィルター（ミリポア社製）にかけて高分子量成分を取り除き、得られた溶出液をゲル浸透クロマトグラフィー（ＧＰＣ）で２分毎に分画した。ＧＰＣカラムは、Ｓｕｐｅｒｄｅｘ  Ｐｅｐｔｉｄｅ  10/300ＧＬ（Ａｍｅｒｓｈａｍ  Ｂｉｏｓｃｉｅｎｃｅ社）を用いた。
ケラタン硫酸Ｉ及びＩＩのそれぞれについてのケラタナーゼＩＩによる反応前及び反応後のＧＰＣの結果を、それぞれ図１及び図２に示す。図１及び図２に示すように、ケラタン硫酸Ｉ又はＩＩがケラタナーゼＩＩにより分解されたＧＰＣ分画液には、種々のサイズのオリゴ糖が生成していることがわかる。
【００２４】
（被検オリゴ糖の質量分析）
上記で得られたＧＰＣ分画液について以下の手順でＭＳの２乗スペクトルを測定した。
ＭＳスペクトルは、Ｅｓｑｕｉｒｅ  ３０００  ｐｌｕｓ（ブルカー社製）を用い、ネガティヴ・イオン・モードで測定した。測定試料、すなわちケラタン硫酸Ｉ又はＩＩを分解して得られたオリゴ糖を含むＧＰＣ分画液を、酢酸の終濃度が１ｍＭかつメタノール含量が５０％の溶媒に、１０ｐｍｏｌ／μＬの濃度になるように溶解し、マイクロシリンジを用いて３６０μＬ／時間の速度で装置に注入した。その際のキャピラリー電圧は−３．８ｋＶであり、窒素ドライガスの速度を4.0 L/分、キャピラリー温度は３００(Ｃに設定した。
ＭＳ2スペクトルは、ＭＳ1スペクトルにおいて観測された分子量関連イオン（［Ｍ−ｎＨ］n-フラグメントイオン）を、１．００Ｖのフラグメント・エネルギーでフラグメンテーションすることによって生じたフラグメントイオンを観測することによって得た。
なお、ＭＳ1スペクトル上においてイオン化に伴って脱硫酸化もしくは脱シアル化が認められたＬ４Ｌ４、Ｌ２Ｌ４及びＳＬ２Ｌ４については、前記の酢酸濃度を前記の１／１０に設定して測定した。
【００２５】
ＧＰＣ分画液についてのＭＳスペクトルのデータを図３及び図４に示す。図３はケラタン硫酸ＩのケラタナーゼＩＩ分解物についてのデータ、図４はケラタン硫酸ＩＩのケラタナーゼＩＩ分解物についてのデータである。
図３及び図４は、ＧＰＣの各時点における分画液のＭＳ1及びＭＳ2スペクトルのデータである。図の左端に示した質量数／電荷数（ｍ／ｚ）値に分子量関連イオン（ＭＳ1）が観測された分画の範囲を四角で囲んだ。四角で囲まれた中の数値は、その分子量関連イオンをフラグメンテーションさせて観測されたフラグメントイオン（ＭＳ2）のｍ／ｚ値を示す。
得られたＭＳ1、ＭＳ2データ（図３及び図４）と表３〜５のデータ（標準オリゴ糖に関する情報）とを比較したところ、ケラタン硫酸Ｉを分解して得られたオリゴ糖として、ＳＬ２Ｌ４、Ｌ４Ｌ４、Ｌ２Ｌ４、Ｌ２Ｌ２、Ｌ４及びＬ２が同定された（図３の右端に同定結果を示した）。
【００２６】
同様に、ケラタン硫酸ＩＩを分解して得られたオリゴ糖として、ＳＬ２Ｌ４、Ｌ４Ｌ４、Ｌ２Ｌ４、Ｌ２Ｌ２、Ｌ４及びＬ２が同定された（図４の右端に同定結果を示した）。
また、被検オリゴ糖について、ＭＳ2スペクトルにおいて観測された特定のフラグメントイオンをさらにフラグメンテーションすることによってＭＳ3に関する情報を取得し、これを表４や表５に示した情報と比較することによって、さらに同定の精度を高めることができる。
【００２７】
以上から、ケラタン硫酸を分解して得られた被検オリゴ糖をはじめとする、下記一般式（１）〜（４）のいずれかで表されるオリゴ糖についてのＭＳのｎ乗スペクトル（ｎは２以上の整数）に関する情報と、前記の表３〜５や本実施例に示した標準オリゴ糖についてのＭＳのｎ乗スペクトル（ｎは２以上の整数）に関する情報とを比較することにより、被検オリゴ糖の構造を同定できることが明らかとなった。
(Gal-GlcNAc)m            …（１）
(GlcNAc-Gal)m            …（２）
GlcNAc-(Gal-GlcNAc)m     …（３）
Gal-(GlcNAc-Gal)m        …（４）
（記号の意義は、前記と同様である）
また、ケラタン硫酸の種類によって、同定されたオリゴ糖のＧＰＣの溶出パターンやＭＳのｎ乗スペクトル（ｎは２以上の整数）に関する情報が著しく異なっていたことから、これらの情報を組み合わせることによって、ケラタン硫酸全長の構造を予測することも可能であることが明らかとなった。
【図面の簡単な説明】
【００２８】
【図１】ケラタン硫酸ＩのケラタナーゼＩＩによる反応前及び反応後のＧＰＣの結果を示す図である。
【図２】ケラタン硫酸ＩＩのケラタナーゼＩＩによる反応前及び反応後のＧＰＣの結果を示す図である。
【図３】ケラタン硫酸ＩのケラタナーゼＩＩ分解物中に存在する被検オリゴ糖のＧＰＣ分画液のＭＳ1及びＭＳ2スペクトルのデータを示す図である。
【図４】ケラタン硫酸ＩＩのケラタナーゼＩＩ分解物中に存在する被検オリゴ糖のＧＰＣ分画液のＭＳ1及びＭＳ2スペクトルのデータを示す図である。
【図１】
2006047240.tif 000007
【図２】
2006047240.tif 000008
【図３】
2006047240.tif 000009
【図４】
2006047240.tif 000010